(57)【要約】【課題】  その支持構造を簡素化してなる指針駆動機構を得ること。【解決手段】  時計の指針２１０，２２０を駆動する指針駆動機構において、地板３１０と、地板に固定した円筒型の軸受体２３０と、軸受体の内周に回転可能に保持された分針支持軸２４０と、軸受体の外周に回転可能に保持された時針支持軸２５０と、地板に回転可能に設けられた日ノ裏車２６０と、分針支持軸を回転する指針支持軸回転手段３２０，６００とを備え、分針支持軸は、日ノ裏車の歯車２６５と噛合するカナ２４５を備え、軸受体は、分針支持軸のカナを露呈する開口部２３４を備え、時針支持軸は、日ノ裏車のカナ２６６と噛合する歯車２５１を備えた構成の指針駆動機構である。【選択図】図９
2006153490.tif 000002
【特許請求の範囲】
【請求項１】
時計の指針を駆動する指針駆動機構において、
地板と、
前記地板に固定した軸受体と、
前記軸受体に回転可能に保持された分針支持軸と、
前記軸受体に回転可能に保持された時針支持軸と、
前記地板に回転可能に設けられた日ノ裏車と、
前記分針支持軸を回転する指針支持軸回転手段とを備え、
前記分針支持軸は、前記日ノ裏車の歯車と噛合するカナを備え、
前記時針支持軸は、前記日ノ裏車のカナと噛合する歯車を備えたことを特徴とする指針駆動機構。
【請求項２】
時計の指針を駆動する指針駆動機構において、
地板と、
前記地板に固定した円筒型の軸受体と、
前記軸受体の内周に回転可能に保持された分針支持軸と、
前記軸受体の外周に回転可能に保持された時針支持軸と、
前記地板に回転可能に設けられた日ノ裏車と、
前記分針支持軸を回転する指針支持軸回転手段とを備え、
前記分針支持軸は、前記日ノ裏車の歯車と噛合するカナを備え、
前記軸受体は、前記分針支持軸のカナを露呈する開口部を備え、
前記時針支持軸は、前記日ノ裏車のカナと噛合する歯車を備えたことを特徴とする指針駆動機構。
【請求項３】
前記軸受体と前記時針支持軸との間には、前記時針支持軸のバックラッシュを防止するための弾性部材を設けたことを特徴とする請求項１又は２記載の指針駆動機構。
【発明の詳細な説明】
【技術分野】
【０００１】
本発明は、時計の指針を駆動する指針駆動機構に関する。
【背景技術】
【０００２】
一般に、時計の指針を駆動する指針駆動機構は、地板に対して分針支持軸及び時針支持軸を回転可能に設けて構成されている。時針支持軸は、分針支持軸を貫通するパイプ状の部材である。通常、地板には他の支持部材が組付けられ、分針支持軸及び時針支持軸は、地板と他の支持部材にて軸支する構成となっている。また、地板と他の支持部材との間には、分針支持軸及び時針支持軸を連結する日ノ裏車が設けられている。このような指針駆動機構は、特許文献１乃至７にも開示されている。
【特許文献１】特開平５−２３２２５０号公報
【特許文献２】特開平１０−４８３４９号公報
【特許文献３】特開平１０−２８２２５２号公報
【特許文献４】特開２０００−１４７１４７号公報
【特許文献５】特開２０００−２２１２７７号公報
【特許文献６】特開２００１−１０８７６２号公報
【特許文献７】特開２００２−３５７６７２号公報
【発明の開示】
【発明が解決しようとする課題】
【０００３】
さて近年、時計の機能やデザインはますます多様化されており、前述した指針駆動機構についても、その機能及び形態に応じた一層の合理化が望まれている。例えば、従来の指針駆動機構によれば、地板の他にも所定の支持部材が必要であり、そのような支持部材の省略も検討課題の１つとされている。本発明は、かかる事情に鑑みてなされたものであり、その目的は、支持構造を簡素化してなる指針駆動機構を得ることである。
【課題を解決するための手段】
【０００４】
本願第１請求項に記載した発明は、時計の指針を駆動する指針駆動機構において、地板と、前記地板に固定した軸受体と、前記軸受体に回転可能に保持された分針支持軸と、前記軸受体に回転可能に保持された時針支持軸と、前記地板に回転可能に設けられた日ノ裏車と、前記分針支持軸を回転する指針支持軸回転手段とを備え、前記分針支持軸は、前記日ノ裏車の歯車と噛合するカナを備え、前記時針支持軸は、前記日ノ裏車のカナと噛合する歯車を備えた構成の指針駆動機構である。
【０００５】
本願第２請求項に記載した発明は、時計の指針を駆動する指針駆動機構において、地板と、前記地板に固定した円筒型の軸受体と、前記軸受体の内周に回転可能に保持された分針支持軸と、前記軸受体の外周に回転可能に保持された時針支持軸と、前記地板に回転可能に設けられた日ノ裏車と、前記分針支持軸を回転する指針支持軸回転手段とを備え、前記分針支持軸は、前記日ノ裏車の歯車と噛合するカナを備え、前記軸受体は、前記分針支持軸のカナを露呈する開口部を備え、前記時針支持軸は、前記日ノ裏車のカナと噛合する歯車を備えた構成の指針駆動機構である。
【０００６】
本願第３請求項に記載した発明は、請求項１又は２において、前記軸受体と前記時針支持軸との間には、前記時針支持軸のバックラッシュを防止するための弾性部材を設けた構成の指針駆動機構である。
【発明の効果】
【０００７】
本発明によれば、支持構造を簡素化してなる指針駆動機構を得ることができる。
【発明を実施するための最良の形態】
【０００８】
以下に、本発明の実施例を図面に基づいて説明する。図１乃至図９に示す本例の時計１は、時針２１０及び分針２２０をそれぞれ所定の速度で回転するアナログ時計である。時針２１０及び分針２２０を駆動する指針駆動機構２００は、透明の時刻表示部１００に配置されている。この時刻表示部１００によると、時計１の手前側からは奥側、奥側からは手前側が透けて見える構成となっている。指針駆動機構２００には歯車等が連結されていないことが一目で解る。つまり、時計１を見る者にとっては、なぜ指針が動くのかと興味をそそる不思議なものとなっている。
【０００９】
この時計１は、各指針２１０，２２０を駆動する指針駆動機構２００と、指針駆動機構２００を駆動可能に装着した第１透明板３１０と、第１透明板３１０と向かい合うとともに指針駆動機構２００と係合した第２透明板３２０と、第１透明板３１０との間に第２透明板３２０を介在する第３透明板３３０と、第２透明板３２０との間に第１透明板３１０を介在する第４透明板３４０と、第２透明板３２０の縁部の移動領域を覆う枠体４００と、第２透明板３２０をそれぞれ枢支する複数のローラ５００と、第２透明板３２０を第１透明板３１０に対して駆動させる駆動手段６００と、駆動手段６００を収納するケース体７００とを備えている。各透明板３１０，３２０，３３０，３４０は、ガラス製又は樹脂製の透明又は半透明の板材である。第1透明板３１０と第３透明板３３０は、適宜間隔でそれらの間に設けられた第１スペーサ３０１にて互いに支持されている。また、第１透明板３１０と第２透明板３２０の間、及び第２透明板３２０と第３透明板３３０の間には、適宜間隔で第２スペーサ３０２が設けられている。第２スペーサ３０２は、第１透明板３１０、第２透明板３２０、及び第３透明板３３０の間隔を規制する部材である。枠体４００は、第２透明板３２０の移動領域を覆うとともに、第１透明板３１０、第３透明板３３０、及び第４透明板３４０の縁部を支持するものである。時刻表示部１００は、枠体４００で囲まれた部位であり、各透明板３１０，３２０，３３０，３４０が重ねられた状態となっている。第１透明板３１０、第３透明板３３０、及び第４透明板３４０のいずれかには、時刻の指標部１０１が設けられている。指針駆動機構２００は、第２透明板３２０の公転に連動して駆動する。
【００１０】
第１透明板３１０、第２透明板３２０、及び第３透明板３３０は、ケース体７００の内部に延出する延出部３１１，３２１，３３１をそれぞれ備えている。
【００１１】
ケース体７００は、上部に枠体４００を搭載するものであり、ケース体７００の内部と枠体４００の内部とを連通する連通部７１０を備えている、第１透明板３１０、第２透明板３２０、及び第３透明板３３０の延出部３１１，３２１，３３１は、連通部７１０を貫通して枠体７００の内部に延出している。
【００１２】
駆動手段６００は、モータを内蔵した時計用のムーブメント６１０と、ムーブメント６１０に連結された輪列機構６２０と、第３透明板３３０の延出部３３１に回転可能に装着されるとともに第２透明板３２０の延出部３２１を枢支する回転駆動部６３０と、輪列機構６２０の要所に噛合された針合せカナ６４０とを備え、ムーブメント６１０が出力する動力が輪列機構６２０を介して回転駆動部６３０に伝わり、この回転駆動部６３０が第２透明板３２０の延出部３２１を操作して第２透明板３２０を上下方向に公転する構成となっている。第２透明板３２０は１時間に１回転する。針合せカナ６４０は、これを手動で回転すると回転駆動部６３０がその回転に応じて回転するものであり、具体的には、時針２１０及び分針２２０の位置を任意に調整する場合に用いられる。
【００１３】
第２透明体３２０を枢支する各ローラ５００は、第１透明板３１０及び第３透明板３３０の間にそれぞれ装着されている。図例では、枠体４００にて覆われる複数のローラ５００と、ケース体７００の内部に位置する１つのローラ５００とを設けている。各ローラ５００、第１スペーサ３０１、及び第２スペーサ３０２は、枠体４００及びケース体７００に隠れるので、外部から見えることはない。
【００１４】
尚、回転駆動部６３０における回転軸６３１と第２透明板３２０の枢支軸６３２との間隔は、ローラ５００における回転軸５０１と第２透明板３２０の枢支軸５０２との間隔と等しく設定されている。回転駆動部６３０の枢支軸６３２とローラ５００の枢支軸５０２とは、同一周期且つ同一半径にて回転する（図５中矢印Ａ、Ｂ方向）。第２透明板３２０は、回転駆動部６３０の枢支軸６３２及び各ローラ５００の枢支軸５０２が回転するとともに第１透明板３１０に対して公転する（図５中矢印Ｃ方向）。
【００１５】
本例では、指針駆動機構２００と、第１透明板３１０と、第２透明板３２０と、第３透明板３３０と、第１スペーサ３０１と、第２スペーサ３０２と、ローラ５００と、回転駆動部６３０とを一体に組付けて１つのユニットとし、更に、第１透明板３１０と第３透明板３３０との間を片面粘着テープ等の閉鎖部材１０２にて閉鎖して、第２透明板３２０を包囲した構成となっている（図６参照）。このような構成によると、第２透明板３２０に対するゴミの付着を防止することができる。第２透明板３２０にゴミが付着すると、指針駆動機構２００を駆動する仕組みが容易に判明してしまうところ、本例によれば、そのような事態は未然に防止される。
【００１６】
図７乃至図９に示すように、本例の指針駆動機構２００は、第１透明板３１０を地板とするものである。この指針駆動機構２００は、地板である第１透明板３１０と、第１透明板３１０に固定した円筒型の軸受体２３０と、軸受体２３０の内周に回転可能に保持された分針支持軸２４０と、軸受体２３０の外周に回転可能に保持された時針支持軸２５０と、第１透明板３１０に回転可能に設けられた日ノ裏車２６０と、分針支持軸２４０を回転する指針支持軸回転手段とを備えたものである。本例の指針支持軸回転手段は、前述した第２透明板３２０及び駆動手段６００である。時針２１０の基端部２１１及び分針２２０の基端部２２１は、時針支持軸２５０及び分針支持軸２４０にそれぞれ固定されている。尚、図中の２０１は、樹脂製のリング状の座である。各部材の間には、必要に応じてこのような座２０１が適宜配置されている。
【００１７】
軸受体２３０は、第１円筒部２３１と、第１円筒部２３１よりも径の小さい第２円筒部２３２とを有し、第１透明板３１０の要所に設けられた孔部３１２に第１円筒部２３１を圧入することにより、第１透明板３１０に固定されている。第１円筒部２３１の外周には、孔部３１２に対する第１円筒部２３１の挿入量を規制するリブ２３３が設けられている。また、第１円筒部２３１の要所には、その内部を露呈する開口部２３４が設けられている。
【００１８】
分針支持軸２４０は、軸受体２３０、時針支持軸２５０、及び時針の基端部２１１を貫通する部材である。その先端部には、雄ねじ部品２４１が螺合されており、軸受体２３０、時針支持軸２５０は、雄ねじ部品２４１にて抜け止めされている。時針２１０の基端部２１１は、時針支持軸２５０に圧入され固定されている。また、分針２２０の基端部２２１は、雄ねじ部品２４１に圧入され固定されている。分針支持軸２４０の先端部には、雄ねじ部品２４１を螺合する雌ねじ部が形成されている。雄ねじ部品２４１及び雌ねじ部は、分針２２０の回転によって緩むことがないように、逆ねじとなっている。
【００１９】
更に、分針支持軸２４０は、第２透明板３２０に係止された枢支軸２４２を備えている。分針支持軸２４０の枢支軸２４２は、第２透明板３２０の要所に設けられた軸受３２２に枢支されており、分針支持軸２４０は、第２透明板３２０の公転に伴い回転する。この枢支軸２４２は、回転駆動部６３０の枢支軸６３２、並びにローラ５００の枢支軸５０２と同一周期且つ同一半径にて回転する。尚、枢支軸２４２の先端部には、飾りの円盤２４４がボルト２４３で固定されている。
【００２０】
また、分針支持軸２４０は、日ノ裏車２６０の歯車２６５と噛合するカナ２４５を備えている。分針支持軸２４０のカナ２４５は、軸受体２３０の第１円筒部２３１の内部に収納されており、その一部が軸受体２３０の開口部２３４から露呈している。日ノ裏車２６０の歯車２６５は、開口部２３４から露呈した部位に噛合している。
【００２１】
時針支持軸２５０は、軸受体２３０の第２円筒部２３２を挿通した円筒型の部材である。軸受体２３０側の端部には、日ノ裏車２６０のカナ２６６と噛合する歯車２５１が設けられている。また、他方の端部には、時針２１０の基端部２１１が固定されている。
【００２２】
更に、軸受体２３０と時針支持軸２５０の間には、時針支持軸２５０のバックラッシュを防止するための弾性部材２７０を設けている。本例の弾性部材２７０は、軸受体２３０の第２円筒部２３２を挿通するとともに、軸受体２３０の第１円筒部２３１と時針支持軸２５０の歯車２５１との間に介在された板ばねである。このような構成によると、分針支持軸２４０、時針支持軸２５０に適宜の摺動負荷が得られ、それらのバックラッシュを防止することができる。また、分針支持軸２４０、時針支持軸２５０のバックラッシュのみならず、これらと繋がった輪列機構６２０におけるバックラッシュをも防止することができる。
【００２３】
日ノ裏車２６０は、分針支持軸２４０のカナ２４５と噛合する歯車２６５と、時針支持軸２５０の歯車２５１と噛合するカナ２６６とを備え、第１透明板３１０に枢支されている。第１透明板３１０の要所には、日ノ裏車２６０の支軸２６１を装着する孔部３１３が設けられており、支軸２６１は、その孔部３１３に挿通されるとともに係止具２６２にて固定されている。日ノ裏車２６０は、支軸２６１に対し、所定の固定部材２６３及びボルト２６４にて固定されている。
【００２４】
このような構成によると、第２透明板３２０の公転に伴い、時針２１０及び分針２２０がそれぞれ所定の速度で回転する。第２透明板３２０の公転周期は１時間である。時針２１０は１２時間で１回転し、分針２２０は１時間で１回転する。
【００２５】
以上のように、本例の時計１は、装飾性に優れ且つ合理的に構成されたものである。指針駆動機構２００は、第１透明板３１０を地板とするものであり、その支持構造が簡素化されたものとなっている。すなわち、従来の指針駆動機構によれば、地板の他にも所定の支持部材が必要になるところ、本例の指針駆動機構２００は、そのような支持部材を省略し、地板である第１透明板３１０のみにてこれを支持する構成となっている。
【００２６】
尚、本例は、時針２１０及び分針２２０を駆動するものであるが、第２透明板３２０を１分間で１回公転させる等して、秒針を駆動するように構成することも可能である。また、本例の構成は、標準時刻電波等の時刻情報を受信するとともに指針による表示時刻をその時刻情報に基づいて自動修正する自動修正時計に応用することも可能である。自動修正時計の場合は、時刻情報を受信する受信手段や、ムーブメント６１０を制御する所定のプログラムを格納したマイコン等を設ける。更に、本例における各部の構成は、特許請求の範囲に記載した技術的範囲において適宜に設計変更が可能であり、図例したものに限定されないことは勿論である。
【００２７】
次に、本発明の他の実施例を図１０及び図１１に基づいて説明する。本例の第２透明板３２０は、その中心を回転軸とする円形のものである。第１透明板３１０と第３透明板３３０との間には、輪列機構６２０の先端の歯車を設け、この歯車が第２透明板に設けられた環状の歯部６５０と噛合している。第２透明板３２０は、第１透明板３１０及び第３透明板３３０に支持された複数のプーリ６６０に回転可能に保持されており、ムーブメント６１０が出力する動力が輪列機構６２０を介して環状の歯部６５０に伝えられることにより、回転する。指針駆動機構２００は、第２透明板３２０に係合されており、第２透明板３２０が回転することによって駆動する。尚、その他の基本構成は前述した実施例と同様である。
【００２８】
このように、第２透明板３２０を回転して指針駆動機構２００を駆動するように構成してもよい。尚、第２透明板３２０は、公転や回転に限らず、往復移動或いは揺動するように構成することも可能である。
【産業上の利用可能性】
【００２９】
本発明の指針駆動機構は、その支持構造を簡素化してなるものであり、各種のアナログ時計において好適に利用することが可能である。特に、支持構造を簡素化することによれば、時計の機能やデザインの多様化に貢献することが可能である。
【図面の簡単な説明】
【００３０】
【図１】本発明の実施例に係り、時計を示す斜視図である。
【図２】本発明の実施例に係り、時計を示す透視正面図である。
【図３】本発明の実施例に係り、時計を示す透視上面図である。
【図４】本発明の実施例に係り、時計を示す透視側面図である。
【図５】本発明の実施例に係り、図２の要部拡大図であって、駆動部を示す透視正面図である。
【図６】本発明の実施例に係り、第１透明板、第２透明板、第３透明板、及び指針駆動機構を一体に組付けてなるユニットを示す透視正面図である。
【図７】本発明の実施例に係り、指針駆動機構を示す側面断面図である。
【図８】本発明の実施例に係り、指針駆動機構を示す側面断面分解図である。
【図９】本発明の実施例に関わり、図７の要部拡大図であって、指針駆動機構の要部を示す側面断面図である。
【図１０】本発明の第２実施例に係り、第１透明板、第２透明板、及び第３透明板を一体に組付けてなるユニットと、駆動手段とを示す透視正面図である。
【図１１】本発明の第２実施例に係り、第１透明板、第２透明板、及び第３透明板を一体に組付けてなるユニットと、駆動手段とを示す透視側面図である。
【符号の説明】
【００３１】
１    時計
１００    時刻表示部
１０１    指標部
１０２    閉鎖部材
２００    指針駆動機構
２０１    座
２１０    時針
２１１    基端部
２２０    分針
２２１    基端部
２３０    軸受体
２３１    第１円筒部
２３２    第２円筒部
２３３    リブ
２３４    開口部
２４０    分針支持軸
２４１    雄ねじ部品
２４２    枢支軸
２４３    ボルト
２４４    円盤
２４５    カナ
２５０    時針支持軸
２５１    歯車
２６０    日ノ裏車
２６１    支軸
２６２    係止具
２６３    固定部材
２６４    ボルト
２６５    歯車
２６６    カナ
２７０    弾性部材
３０１    第１スペーサ
３０２    第２スペーサ
３１０    第１透明板
３１１    延出部
３１２    孔部
３１３    孔部
３２０    第２透明板
３２１    延出部
３２２    軸受
３３０    第３透明板
３３１    延出部
３４０    第４透明板
４００    枠体
５００    ローラ
５０１    回転軸
５０２    枢支軸
６００    駆動手段
６１０    ムーブメント
６２０    輪列機構
６３０    回転駆動部
６３１    回転軸
６３２    枢支軸
６４０    針合せカナ
７００    ケース体
７１０    連通部
【図１】
2006153490.tif 000003
【図２】
2006153490.tif 000004
【図３】
2006153490.tif 000005
【図４】
2006153490.tif 000006
【図５】
2006153490.tif 000007
【図６】
2006153490.tif 000008
【図７】
2006153490.tif 000009
【図８】
2006153490.tif 000010
【図９】
2006153490.tif 000011
【図１０】
2006153490.tif 000012
【図１１】
2006153490.tif 000013